【手続補正書】
【提出日】平成19年4月20日(2007.4.20)
【手続補正１】
【補正対象書類名】明細書
【補正対象項目名】特許請求の範囲
【補正方法】変更
【補正の内容】
【特許請求の範囲】
【請求項１】
（ａ）接着剤と、
（ｂ１）次式Ｉ，ＩＩ又はＩＩＩ：
【化１】
2002543266.tif 000001
〔式中、
Ｇ1及びＧ1’は独立して、水素原子又はハロゲン原子を表わし、
Ｇ2及びＧ2’は独立して、ハロゲン原子、ニトロ基、シアノ基、炭素原子数１ないし１２のペルフルオロアルキル基、−ＣＯＯＧ3基、−Ｐ（Ｏ）（Ｃ6Ｈ5）2基、−ＣＯ−Ｇ3基、−ＣＯ−ＮＨ−Ｇ3基、−ＣＯ−Ｎ（Ｇ3）2基、−Ｎ（Ｇ3）−ＣＯ−Ｇ3基、Ｅ3ＳＯ−基又はＥ3ＳＯ2−基を表わし；或いはＧ2’は水素原子も表わし、
Ｇ3は水素原子、炭素原子数１ないし２４の直鎖状又は分岐鎖状のアルキル基、炭素原子数２ないし１８の直鎖状又は分岐鎖状のアルケニル基、炭素原子数５ないし１２のシクロアルキル基、炭素原子数７ないし１５のフェニルアルキル基、フェニル基、或いは炭素原子数１ないし４のアルキル基１個ないし４個によりフェニル環が置換された前記フェニル基又は前記フェニルアルキル基を表わし、
Ｇ6は炭素原子数１ないし１２のペルフルオロアルキル基を表わし、
Ｇ7は水素原子又は炭素原子数１ないし１２のペルフルオロアルキル基を表わし、
Ｅ1は水素原子、炭素原子数１ないし２４の直鎖状又は分岐鎖状のアルキル基、炭素原子数２ないし２４の直鎖状又は分岐鎖状のアルケニル基、炭素原子数５ないし１２のシクロアルキル基、炭素原子数７ないし１５のフェニルアルキル基、フェニル基、或いは炭素原子数１ないし４のアルキル基１個ないし４個によりフェニル環が置換された前記フェニル基又は前記フェニルアルキル基を表わし；或いはＥ1は１個又は２個のヒドロキシ基により置換された炭素原子数１ないし２４のアルキル基を表わし、
Ｅ2及びＥ2’は独立して、炭素原子数１ないし２４の直鎖状又は分岐鎖状のアルキル基、炭素原子数２ないし１８の直鎖状又は分岐鎖状のアルケニル基、炭素原子数５ないし１２のシクロアルキル基、炭素原子数７ないし１５のフェニルアルキル基、フェニル基、或いは炭素原子数１ないし４のアルキル基１個ないし３個によりフェニル環が置換された前記フェニル基又は前記フェニルアルキル基を表わし；或いはＥ2及びＥ2’は独立して、１個又はそれより多くの−ＯＨ基、−ＯＣＯＥ11基、−ＯＥ4基、−ＮＣＯ基、−ＮＨ2基、−ＮＨＣＯＥ11基、−ＮＨＥ4基又は−Ｎ（Ｅ4）2基、又はそれらの混合物（前記式中、Ｅ4は炭素原子数１ないし２４の直鎖状又は分岐鎖状のアルキル基を表わす）により置換された炭素原子数１ないし２４の前記アルキル基又は炭素原子数２ないし１８の前記アルケニル基；或いは１個又はそれより多くの−Ｏ−基、−ＮＨ−基又は−ＮＥ4−基、又はそれらの混合物により中断され、そして非置換又は１個又はそれより多くの−ＯＨ基、−ＯＥ4基又は−ＮＨ2基、又はそれらの混合物により置換され得る前記アルキル基又は前記アルケニル基を表わし、
ｎは１又は２を表わし、
ｎが１を表わす場合、
Ｅ5は−ＯＥ6基又は−ＮＥ7Ｅ8基を表わし、又は
Ｅ5は−ＰＯ（ＯＥ12）2基、−ＯＳＩ（Ｅ11）3基若しくは−ＯＣＯ−Ｅ11基、又は−Ｏ−基、−Ｓ−基又は−ＮＥ11−基により中断され、そして非置換又は−ＯＨ基又は−ＯＣＯ−Ｅ11基により置換され得る炭素原子数１ないし２４の直鎖状又は分岐鎖状のアルキル基、非置換又は−ＯＨ基により置換された炭素原子数５ないし１２のシクロアルキル基、非置換又は−ＯＨ基により置換された炭素原子数２ないし１８の直鎖状又は分岐鎖状のアルケニル基、炭素原子数７ないし１５のアルアルキル基、−ＣＨ2−ＣＨＯＨ−Ｅ13基又はグリシジル基を表わし、
Ｅ6は水素原子、非置換又は１個又はそれより多くの−ＯＨ基、−ＯＥ4基又は−ＮＨ2基により置換された炭素原子数１ないし２４の直鎖状又は分岐鎖状のアルキル基を表わし、或いは−ＯＥ6は−（ＯＣＨ2ＣＨ2）wＯＨ基又は−（ＯＣＨ2ＣＨ2）wＯＥ21基（式中、ｗは１ないし１２を表わし、そしてＥ21は炭素原子数１ないし１２のアルキル基を表わす）を表わし、
Ｅ7及びＥ8は独立して、水素原子、炭素原子数１ないし１８のアルキル基、−Ｏ−基、−Ｓ−基又は−ＮＥ11基により中断された炭素原子数３ないし１８の直鎖状又は分岐鎖状のアルキル基、炭素原子数５ないし１２のシクロアルキル基、炭素原子数６ないし１４のアリール基又は炭素原子数１ないし３のヒドロキシアルキル基を表わし、或いはＥ7及びＥ8は窒素原子と一緒になって、ピロリジン環、ピペリジン環、ピペラジン環又はモルホ
リン環を表わし、
Ｅ5は−Ｘ−（Ｚ）p−Ｙ−Ｅ15基を表わし、
前記式中、
Ｘは−Ｏ−基又は−Ｎ（Ｅ16）基を表わし、
Ｙは−Ｏ−基又は−Ｎ（Ｅ17）基を表わし、
Ｚは炭素原子数２ないし１２のアルキレン基、１個ないし３個の窒素原子、酸素原子又はそれらの混合物により中断された炭素原子数４ないし１２のアルキレン基を表わすか、或いは各々がヒドロキシル基により置換された、炭素原子数３ないし１２のアルキレン基、ブテニレン基、ブチニレン基、シクロヘキシレン基又はフェニレン基を表わし、
ｍは０，１又は２を表わし、
ｐは１を表わすか、又はＸ及びＹが各々−Ｎ（Ｅ16）−基及び−Ｎ（Ｅ17）−基を表わす場合、０をも表わし、
Ｅ15は基−ＣＯ−Ｃ（Ｅ18）＝Ｃ（Ｈ）Ｅ19を表わすか、又はＹが−Ｎ（Ｅ17）−基を表わす場合、Ｅ17と一緒になって、基−ＣＯ−ＣＨ＝ＣＨ−ＣＯ−を形成し、前記式中、Ｅ18は水素原子又はメチル基を表わし、そしてＥ19は水素原子、メチル基又は−ＣＯ−Ｘ−Ｅ20基を表わし、前記式中、Ｅ20は水素原子、炭素原子数１ないし１２のアルキル基又は次式：
【化２】
2002543266.tif 000002
（式中、符号Ｅ1，Ｇ2，Ｘ，Ｚ，ｍ及びｐは上記において定義された意味を有する）で表わされる基を表わし、そして
Ｅ16及びＥ17は互いに独立して、水素原子、炭素原子数１ないし１２のアルキル基、１個ないし３個の酸素原子により中断された炭素原子数３ないし１２のアルキル基を表わすか、或いはシクロヘキシル基又は炭素原子数７ないし１５のアルアルキル基を表わし、そしてＺがエチレン基を表わす場合、Ｅ16はＥ17と一緒になって、エチレン基をも形成し、
ｎが２を表わす場合、
Ｅ5は二価の基−Ｏ−Ｅ9−Ｏ−又は−Ｎ（Ｅ11）−Ｅ10−Ｎ（Ｅ11）−の一つを表わし、
Ｅ9は炭素原子数２ないし８のアルキレン基、炭素原子数４ないし８のアルケニレン基、炭素原子数４のアルキニレン基、シクロヘキシレン基、−Ｏ−基により又は−ＣＨ2−ＣＨＯＨ−ＣＨ2−Ｏ−Ｅ14−Ｏ−ＣＨ2−ＣＨＯＨ−ＣＨ2−基により中断された炭素原子数４ないし１０の直鎖状又は分岐鎖状のアルキレン基を表わし、
Ｅ10は−Ｏ−基により中断されてよい炭素原子数２ないし１２の直鎖状又は分岐鎖状のアルキレン基、シクロヘキシレン基、又は次式：
【化３】
2002543266.tif 000003
で表わされる基を表わすか、或いはＥ10及びＥ11は２個の窒素原子と共にピペラジン環を
形成し、
Ｅ14は炭素原子数２ないし８の直鎖状又は分岐鎖状のアルキレン基、−Ｏ−基により中断された炭素原子数４ないし１０の直鎖状又は分岐鎖状のアルキレン基、シクロアルキレン基、アリーレン基又は次式：
【化４】
2002543266.tif 000004
で表わされる基を表わし、
前記式中、Ｅ7及びＥ8は独立して、水素原子、炭素原子数１ないし１８のアルキル基を表わすか、又はＥ7及びＥ8は一緒になって、炭素原子数４ないし６のアルキレン基、３−オキサペンタメチレン基、３−イミノペンタメチレン基又は３−メチルイミノペンタメチレン基を表わし、
Ｅ11は水素原子、炭素原子数１ないし１８の直鎖状又は分岐鎖状のアルキル基、炭素原子数５ないし１２のシクロアルキル基、炭素原子数２ないし１８の直鎖状又は分岐鎖状のアルケニル基、炭素原子数６ないし１４のアリール基又は炭素原子数７ないし１５のアルアルキル基を表わし、
Ｅ12は炭素原子数１ないし１８の直鎖状又は分岐鎖状のアルキル基、炭素原子数３ないし１８の直鎖状又は分岐鎖状のアルケニル基、炭素原子数５ないし１０のシクロアルキル基、炭素原子数６ないし１６のアリール基又は炭素原子数７ないし１５のアルアルキル基を表わし、
Ｅ13は水素原子、−ＰＯ（ＯＥ12）2基により置換された炭素原子数１ないし１８の直鎖状又は分岐鎖状のアルキル基、非置換又は−ＯＨ基、炭素原子数７ないし１５のアルアルキル基又は−ＣＨ2ＯＥ12基により置換されたフェニル基を表わし、
Ｅ3は炭素原子数１ないし２０のアルキル基、炭素原子数２ないし２０のヒドロキシアルキル基、炭素原子数２ないし９のアルコキシカルボニル基により置換されたアルキル基、炭素原子数３ないし１８のアルケニル基、炭素原子数５ないし１２のシクロアルキル基、炭素原子数７ないし１５のフェニルアルキル基、炭素原子数６ないし１０のアリール基又は炭素原子数１ないし４のアルキル基１個又は２個により置換された前記アリール基、或いは１，１，２，２−テトラヒドロペルフルオロアルキル基（この基のペルフルオロアルキル部分は、６個ないし１６個の炭素原子からなる）を表わし、そして
Ｌは炭素原子数１ないし１２のアルキレン基、炭素原子数２ないし１２のアルキリデン基、ベンジリデン基、ｐ−キシリレン基、α，α，α’，α’−テトラメチル−ｍ−キシリレン基又はシクロアルキリデン基を表わす〕で表わされる、高度に溶解性で、レッド−シフトされた、光安定なベンゾトリアゾール、又は（ｂ２）２−（２−ヒドロキシ−３−α−クミル−５−第三オクチルフェニル）−２Ｈ−ベンゾトリアゾール又は２−（２−ヒドロキシ−３−α−クミル−５−第三ブチルフェニル）−２Ｈ−ベンゾトリアゾールである、高度に溶解性で且つ光安定なベンゾトリアゾール、又は
（ｂ１）及び（ｂ２）に基づく化合物の組み合わせ
からなる、積層物品又は多層構造体における接着剤層として使用するために適する安定化された接着剤組成物。
【請求項２】
（ａ）接着剤、並びに
（ｂ）（１）２−（２−ヒドロキシ−３，５−ジα−クミルフェニル）−２Ｈ−ベンゾトリアゾールである高度に光安定なベンゾトリアゾール、或いは５−クロロ−２−（２−ヒドロキシ−３，５−ジ第三ブチルフェニル）−２Ｈ−ベンゾトリアゾール又は５−クロロ−２−（２−ヒドロキシ−３−第三ブチル−５−メチルフェニル）−２Ｈ−ベンゾトリアゾールであるレッド−シフトされたベンゾトリアゾールであって、各々、幾つかの接着剤への比較的低い溶解度を有するもの、及び
（２）前記接着剤への高い溶解度を有し、且つ２−（２−ヒドロキシ−３，５−ジ第三ブチルフェニル）−２Ｈ−ベンゾトリアゾール、２−（２−ヒドロキシ−３，５−ジ第三アミルフェニル）−２Ｈ−ベンゾトリアゾール、２−（２−ヒドロキシ−５−第三オクチルフェニル）−２Ｈ−ベンゾトリアゾール、２−（２−ヒドロキシ−３−第二ブチル−５−第三ブチルフェニル）−２Ｈ−ベンゾトリアゾール、２−（２−ヒドロキシ−３−α−クミル−５−第三オクチルフェニル）−２Ｈ−ベンゾトリアゾール又は２−（２−ヒドロキシ−３−α−クミル−５−第三ブチルフェニル）−２Ｈ−ベンゾトリアゾールからなる群から選択される溶解し得る量の第二のベンゾトリアゾール、の組み合わせ
を含む、積層物品又は多層構造体における接着層として使用するために適する安定化された接着剤組成物。
【請求項３】
次式ＩＩＩｃ：
【化５】
2002543266.tif 000005
〔式中、
Ｇ1及びＧ1’は独立して、水素原子又はハロゲン原子を表わし、Ｇ2はハロゲン原子、ニトロ基、シアノ基、−ＣＯＯＧ3基、−Ｐ（Ｏ）（Ｃ6Ｈ5）2基、−ＣＯ−Ｇ3基、−ＣＯ−ＮＨ−Ｇ3基、−ＣＯ−Ｎ（Ｇ3）2基、−Ｎ（Ｇ3）−ＣＯ−Ｇ3基、Ｅ3Ｓ−基、Ｅ3ＳＯ−基又はＥ3ＳＯ2−基を表わし、
Ｇ2’は炭素原子数１ないし１２のペルフルオロアルキル基を表わし、
Ｇ3は水素原子、炭素原子数１ないし２４の直鎖状又は分岐鎖状のアルキル基、炭素原子数２ないし１８の直鎖状又は分岐鎖状のアルケニル基、炭素原子数５ないし１２のシクロアルキル基、炭素原子数７ないし１５のフェニルアルキル基、フェニル基、或いは炭素原子数１ないし４のアルキル基１個ないし４個によりフェニル環が置換された前記フェニル基又は前記フェニルアルキル基を表わし、
Ｅ2及びＥ2’は独立して、炭素原子数１ないし２４の直鎖状又は分岐鎖状のアルキル基、炭素原子数２ないし１８の直鎖状又は分岐鎖状のアルケニル基、炭素原子数５ないし１２のシクロアルキル基、炭素原子数７ないし１５のフェニルアルキル基、フェニル基、或いは炭素原子数１ないし４のアルキル基１個ないし３個によりフェニル環が置換された前記フェニル基又は前記フェニルアルキル基を表わし；或いはＥ2及びＥ2’は独立して、１個又はそれより多くの−ＯＨ基、−ＯＣＯＥ11基、−ＯＥ4基、−ＮＣＯ基、−ＮＨ2基、−ＮＨＣＯＥ11基、−ＮＨＥ4基又は−Ｎ（Ｅ4）2基、又はそれらの混合物（前記式中、Ｅ4は炭素原子数１ないし２４の直鎖状又は分岐鎖状のアルキル基を表わす）により置換された炭素原子数１ないし２４の前記アルキル基又は炭素原子数２ないし１８の前記アルケニル基；或いは１個又はそれより多くの−Ｏ−基、−ＮＨ−基又は−ＮＥ4−基、又はそれらの混合物により中断され、そして非置換又は１個又はそれより多くの−ＯＨ基、−ＯＥ4基又は−ＮＨ2基、又はそれらの混合物により置換され得る前記アルキル基又は前記アルケニル基を表わし；或いはＥ2及びＥ2’は独立して、−（ＣＨ2）m−ＣＯ−Ｅ5を表
わし；或いはＥ2及びＥ2’は独立して、次式：
−（ＣＨ2）m−ＣＯ−Ｘ−（Ｚ）p−Ｙ−Ｅ15
で表わされる基を表わし、
前記式中、
Ｅ5は−ＯＥ6基又は−ＮＥ7Ｅ8基を表わし、又は
Ｅ5は−ＰＯ（ＯＥ12）2基、−ＯＳＩ（Ｅ11）3基若しくは−ＯＣＯ−Ｅ11基；又は−Ｏ−基、−Ｓ−基又は−ＮＥ4−基により中断され、そして非置換又は−ＯＨ基又は−ＯＣＯ−Ｅ11基により置換され得る炭素原子数１ないし２４の直鎖状又は分岐鎖状のアルキル基、非置換又は−ＯＨ基により置換された炭素原子数５ないし１２のシクロアルキル基、非置換又は−ＯＨ基により置換された炭素原子数２ないし１８の直鎖状又は分岐鎖状のアルケニル基、炭素原子数７ないし１５のアルアルキル基、−ＣＨ2−ＣＨＯＨ−Ｅ13基又はグリシジル基を表わし、
Ｅ6は水素原子、非置換又は１個又はそれより多くの−ＯＨ基、−ＯＥ4基又は−ＮＨ2基により置換された炭素原子数１ないし２４の直鎖状又は分岐鎖状のアルキル基を表わし、或いは−ＯＥ6は−（ＯＣＨ2ＣＨ2）wＯＨ基又は−（ＯＣＨ2ＣＨ2）wＯＥ21基（式中、ｗは１ないし１２を表わし、そしてＥ21は炭素原子数１ないし１２のアルキル基を表わす）を表わし、
Ｅ7及びＥ8は独立して、水素原子、炭素原子数１ないし１８のアルキル基；−Ｏ−基、−Ｓ−基又は−ＮＥ11基により中断された炭素原子数３ないし１８の直鎖状又は分岐鎖状のアルキル基、炭素原子数５ないし１２のシクロアルキル基、炭素原子数６ないし１４のアリール基又は炭素原子数１ないし３のヒドロキシアルキル基を表わし、或いはＥ7及びＥ8は窒素原子と一緒になって、ピロリジン環、ピペリジン環、ピペラジン環又はモルホリン環を表わし、
Ｘは−Ｏ−基又は−Ｎ（Ｅ16）基を表わし、
Ｙは−Ｏ−基又は−Ｎ（Ｅ17）基を表わし、
Ｚは炭素原子数２ないし１２のアルキレン基、１個ないし３個の窒素原子、酸素原子又はそれらの混合物により中断された炭素原子数４ないし１２のアルキレン基を表わすか、或いは各々がヒドロキシル基により置換された、炭素原子数３ないし１２のアルキレン基、ブテニレン基、ブチニレン基、シクロヘキシレン基又はフェニレン基を表わし、
ｍは０，１又は２を表わし、
ｐは１を表わすか、又はＸ及びＹが各々−Ｎ（Ｅ16）基及び−Ｎ（Ｅ17）基を表わす場合、０をも表わし、
Ｅ15は基−ＣＯ−Ｃ（Ｅ18）＝Ｃ（Ｈ）Ｅ19を表わすか、又はＹが−Ｎ（Ｅ17）基を表わす場合、Ｅ17と一緒になって、基−ＣＯ−ＣＨ＝ＣＨ−ＣＯ−を形成し、前記式中、Ｅ18は水素原子又はメチル基を表わし、そしてＥ19は水素原子、メチル基又は−ＣＯ−Ｘ−Ｅ20基を表わし、前記式中、Ｅ20は水素原子、炭素原子数１ないし１８のアルキル基を表わし、
Ｅ16及びＥ17は互いに独立して、水素原子、炭素原子数１ないし１８のアルキル基、１個ないし３個の酸素原子により中断された炭素原子数３ないし１２のアルキル基を表わすか、或いはシクロヘキシル基又は炭素原子数７ないし１５のアルアルキル基を表わし、そしてＺがエチレン基を表わす場合、Ｅ16はＥ17と一緒になって、エチレン基をも形成し、
Ｅ11は水素原子、炭素原子数１ないし１８の直鎖状又は分岐鎖状のアルキル基、炭素原子数５ないし１２のシクロアルキル基、炭素原子数２ないし１８の直鎖状又は分岐鎖状のアルケニル基、炭素原子数６ないし１４のアリール基又は炭素原子数７ないし１５のアルアルキル基を表わし、
Ｅ12は炭素原子数１ないし１８の直鎖状又は分岐鎖状のアルキル基、炭素原子数３ないし１８の直鎖状又は分岐鎖状のアルケニル基、炭素原子数５ないし１０のシクロアルキル基、炭素原子数６ないし１６のアリール基又は炭素原子数７ないし１５のアルアルキル基を表わし、
Ｅ13は水素原子、−ＰＯ（ＯＥ12）2基により置換された炭素原子数１ないし１８の直
鎖状又は分岐鎖状のアルキル基、非置換又は−ＯＨ基、炭素原子数７ないし１５のアルアルキル基又は−ＣＨ2ＯＥ12基により置換されたフェニル基を表わし、
Ｅ3は炭素原子数１ないし２０のアルキル基、炭素原子数２ないし２０のヒドロキシアルキル基、炭素原子数２ないし９のアルコキシカルボニル基により置換されたアルキル基、炭素原子数３ないし１８のアルケニル基、炭素原子数５ないし１２のシクロアルキル基、炭素原子数７ないし１５のフェニルアルキル基、炭素原子数６ないし１０のアリール基又は炭素原子数１ないし４のアルキル基１個又は２個により置換された前記アリール基、或いは１，１，２，２−テトラヒドロペルフルオロアルキル基（この基のペルフルオロアルキル部分は、６個ないし１６個の炭素原子からなる）を表わし、そして
Ｌは炭素原子数１ないし１２のアルキレン基、炭素原子数２ないし１２のアルキリデン基、ベンジリデン基、ｐ−キシリレン基、α，α，α’，α’−テトラメチル−ｍ−キシリレン基又はシクロアルキリデン基を表わす）で表わされる化合物。
【請求項４】
（ａ）熱的、酸化的又は光により誘起される分解を受ける有機材料、及び
（ｂ）請求項３記載の式ＩＩＩｃで表わされる化合物
を含む、熱的、酸化的又は光により誘起される分解に対して安定化された組成物。